(57)【要約】【課題】側板の外周面と箱本体の内壁との間に生じる隙間を無くすことができる包装用箱を提供する。【解決手段】包装用箱は、台状の部材からなり、商品を収納するための凹部１１ａを上面に備え、凹部１１ａ内に収納された商品を保護する緩衝具１０と、上面が開口した容器状の部材からなり、その内壁間に緩衝具１０が嵌挿される箱本体とから構成される。緩衝具１０は、凹部１１ａが上面に形成された天板１１と、天板１１の周縁から下方にスカート状に垂下して設けられた側板１２とを備え、側板１２は、上側に傾斜して下部側の外周長さが上部側の外周長さよりも長く形成される。側板１２には、外周面側が凹んで内周面側が突出し、上下方向に沿った且つ下部側が上部側よりも幅広となった溝部１２ａが、側板１２の４隅部近傍にそれぞれ形成されており、この溝１２ａは、溝幅方向の両縁が互いに接近して溝幅が狭くなるように変形可能となっている。【選択図】図５
2007314230.tif 000002
【特許請求の範囲】
【請求項１】
平面視矩形状をした台状の部材からなり、商品を収納するための凹部を上面に備え、該凹部内に収納された商品を保護する緩衝具と、上面が開口し且つ平面視矩形状に形成された容器状の部材からなり、その内壁間に前記緩衝具が収容される箱本体とから構成された包装用箱であって、
前記緩衝具は、前記凹部が上面に形成された天板と、該天板の周縁から下方にスカート状に垂下するように設けられた側板とを備え、前記側板は、上側に傾斜して下部側の外周長さが上部側の外周長さよりも長く形成されてなり、
更に、前記緩衝具は、外周面側が凹んで内周面側が突出し、上下方向に沿うように且つ下部側が上部側よりも幅広となるように形成された溝部を、前記側板の少なくとも４隅部近傍にそれぞれ備え、該溝部は、溝幅方向の両縁が互いに接近して溝幅が狭くなるように変形可能に構成されてなることを特徴とする包装用箱。
【請求項２】
平面視円形をした台状の部材からなり、商品を収納するための凹部を上面に備え、該凹部内に収納された商品を保護する緩衝具と、上面が開口し且つ平面視円形に形成された容器状の部材からなり、その内壁間に前記緩衝具が収容される箱本体とから構成された包装用箱であって、
前記緩衝具は、前記凹部が上面に形成された天板と、該天板の周縁から下方にスカート状に垂下するように設けられた側板とを備え、前記側板は、上側に傾斜して下部側の外周長さが上部側の外周長さよりも長く形成されてなり、
更に、前記緩衝具は、外周面側が凹んで内周面側が突出し、上下方向に沿うように且つ下部側が上部側よりも幅広となるように形成された溝部を、前記側板にその円周方向に一定間隔で備え、該溝部は、溝幅方向の両縁が互いに接近して溝幅が狭くなるように変形可能に構成されてなることを特徴とする包装用箱。
【請求項３】
平面視矩形状をした台状の部材からなり、商品を収納するための凹部を上面に備え、該凹部内に収納された商品を保護する緩衝具と、上面が開口し且つ平面視矩形状に形成された容器状の部材からなり、その内壁間に前記緩衝具が収容される箱本体とから構成された包装用箱であって、
前記緩衝具は、前記凹部が上面に形成された天板と、該天板の周縁から下方にスカート状に垂下するように設けられた側板とを備え、前記側板は、上側に傾斜して下部側の外周長さが上部側の外周長さよりも長く形成されてなり、
更に、前記緩衝具は、上下方向に沿うように且つ下部側が上部側よりも幅広となるように形成された切り欠き部を、前記側板の少なくとも４隅部近傍にそれぞれ備えてなることを特徴とする包装用箱。
【請求項４】
平面視円形をした台状の部材からなり、商品を収納するための凹部を上面に備え、該凹部内に収納された商品を保護する緩衝具と、上面が開口し且つ平面視円形に形成された容器状の部材からなり、その内壁間に前記緩衝具が収容される箱本体とから構成された包装用箱であって、
前記緩衝具は、前記凹部が上面に形成された天板と、該天板の周縁から下方にスカート状に垂下するように設けられた側板とを備え、前記側板は、上側に傾斜して下部側の外周長さが上部側の外周長さよりも長く形成されてなり、
更に、前記緩衝具は、上下方向に沿うように且つ下部側が上部側よりも幅広となるように形成された切り欠き部を、前記側板にその円周方向に一定間隔で備えてなることを特徴とする包装用箱。
【請求項５】
前記溝部は、前記側板の上端よりも予め設定された高さだけ下がった位置から下端にかけて形成されてなることを特徴とする請求項１又は２記載の包装用箱。
【請求項６】
前記凹部には、その内周面から突出して形成され、該凹部内に収納された商品を係止するための突起が設けられてなることを特徴とする請求項１乃至５記載のいずれかの包装用箱。
【発明の詳細な説明】
【技術分野】
【０００１】
本発明は、台状の部材からなり、商品を収納するための凹部を上面に備え、当該凹部内に収納された商品を保護する緩衝具と、上面が開口した容器状の部材からなり、その内壁間に前記緩衝具が収容される箱本体とから構成された包装用箱に関する。
【背景技術】
【０００２】
前記包装用箱として、従来、例えば、図１６に示すようなものが知られており、この包装用箱１００は、平面視矩形状に形成され、包装される商品Ｇを収納するための凹部１０２ａを上面に備えた中台１０１と、上面が開口し且つ平面視矩形状に形成された容器状の部材からなり、前記中台１０１を収容する箱本体１０４と、可撓性を有するシート状の部材によって気密に形成され、中台１０１と箱本体１０４との間に設けられる袋体１０５と、箱本体１０４に被せられ、この箱本体１０４の上面開口部を閉塞する蓋体１０６とから構成される（特開平５−２６２３４８号公報参照）。
【０００３】
前記中台１０１は、前記凹部１０２ａが上面に形成された天板１０２と、この天板１０２の周縁から下方にスカート状に垂下するように設けられた側板１０３とを備えており、前記箱本体１０４の内壁間に嵌挿されるようになっている。
【０００４】
前記袋体１０５は、前記中台１０１の内部に（前記天板１０２の下側に位置するように）適宜支持されており、逆止弁を備えたチューブ（図示せず）を介し空気が内部に充填されて膨らむように構成されている。また、この袋体１０５は、内部に空気が充填されると、天板１０２の裏面や側板１０３の内周面に当接し、凹部１０２ａ内に収納された商品Ｇを保護する。
【０００５】
この包装用箱１００によれば、中台１０１の凹部１０２ａ内に商品Ｇが収納された後、箱本体１０４に蓋体１０６が被せられることで、当該商品Ｇが箱詰めされ、また、この凹部１０２ａ内の商品Ｇは、内部に空気の充填された袋体１０５がクッションとなって保護される。
【０００６】
【特許文献１】特開平５−２６２３４８号公報
【発明の開示】
【発明が解決しようとする課題】
【０００７】
ところで、前記中台１０１は、例えば、シート状の部材から所定の形状に適宜組み立てられたり、金型を用いて所定の形状に適宜成形されることで、製造されるようになっているが、金型によって成形する場合には、抜き勾配を設ける必要があるために、側板１０３を垂直に対して傾斜させなければならない。具体的には、図１６に示すように、側板１０３を、上部側よりも下部側の方が、対峙する側板１０３間の間隔が長くなるように上側に傾斜させなければならない。
【０００８】
ところが、上記従来の包装用箱１００では、このように側板１０３を傾斜させると、当該側板１０３の上部外周面と箱本体１０４の内壁との間に隙間Ｓを生じるため、美観を損ねる原因となったり、高級感を出すことができないという問題があった。また、このように、見栄えが悪かったり、高級感がないと、消費者の購入意欲を刺激することができず、当該包装用箱１００によって包装された商品の売上を伸ばすこともできない。
【０００９】
本発明は、以上の実情に鑑みなされたものであって、側板の外周面と箱本体の内壁との間に生じる隙間を無くすことができる包装用箱の提供をその目的とする。
【課題を解決するための手段】
【００１０】
上記目的を達成するための本発明は、
平面視矩形状をした台状の部材からなり、商品を収納するための凹部を上面に備え、該凹部内に収納された商品を保護する緩衝具と、上面が開口し且つ平面視矩形状に形成された容器状の部材からなり、その内壁間に前記緩衝具が収容される箱本体とから構成された包装用箱であって、
前記緩衝具は、前記凹部が上面に形成された天板と、該天板の周縁から下方にスカート状に垂下するように設けられた側板とを備え、前記側板は、上側に傾斜して下部側の外周長さが上部側の外周長さよりも長く形成されてなり、
更に、前記緩衝具は、外周面側が凹んで内周面側が突出し、上下方向に沿うように且つ下部側が上部側よりも幅広となるように形成された溝部を、前記側板の少なくとも４隅部近傍にそれぞれ備え、該溝部は、溝幅方向の両縁が互いに接近して溝幅が狭くなるように変形可能に構成されてなることを特徴とする包装用箱に係る。
【００１１】
この発明によれば、緩衝具の側板の少なくとも４隅部近傍に、外周面側が凹んで内周面側が突出し、上下方向に沿うように且つ下部側が上部側よりも幅広となるように形成された溝部をそれぞれ設けるとともに、当該溝部を、溝幅方向の両縁が互いに接近して溝幅が狭くなるように変形可能に構成したので、当該緩衝具の側板の４隅部下部を内側に向けて押すと、側板の溝部がそれぞれ弾性変形して、この各溝部の弾性変形により４隅部の側板下部を内側に引っ込めることができる。
【００１２】
これにより、側板を略垂直にすることができ、側板の上部側外周面と箱本体の内壁との間に隙間の無い状態で当該緩衝具を箱本体の内壁間に嵌挿することができる。また、緩衝具を箱本体に嵌挿する際には、側板の４隅部を内側に向けて押すだけであり、作業性が悪化することもない。
【００１３】
尚、前記溝部を側板の４隅部近傍に形成したのは、当該溝部の形成位置を、例えば、４隅部から離して側板の両端部間の中央にすると、側板の４隅部を押したときに天板が浮き上がるといった不都合を生じ易くなるからであり、４隅部近傍に設けることで、このような不都合が生じるのを効果的に防止することができる。また、緩衝具を箱本体に嵌挿可能とするためには、４隅部の側板下部を内側に引っ込めて当該側板を略垂直にすることができれば良く、このためには、４隅部の側板下部を内側に引っ込めるための変形部（溝部）を当該４隅部近傍に設けることが好ましいからである。
【００１４】
そして、このようにして箱本体内に嵌挿された緩衝具の天板の凹部内には、商品を箱詰めすべく商品が収納され、また、この凹部内に収納された商品は当該緩衝具によって保護される。
【００１５】
斯くして、本発明に係る包装用箱によれば、緩衝具の側板の少なくとも４隅部近傍に上下方向に沿って設けた溝部により、側板の上部側外周面と箱本体の内壁との間に隙間の無い状態で当該緩衝具を箱本体の内壁間に嵌挿することができるので、見栄えを良くしたり、高級感を出すことができる。また、このように、見栄えが良かったり、高級感があれば、消費者の購入意欲を刺激することもでき、当該包装用箱によって包装された商品の売上を伸ばすこともできる。
【００１６】
尚、前記緩衝具及び箱本体は、平面視矩形状ではなく、平面視円形に形成されていても良い。この場合、前記緩衝具には、その側板に円周方向に一定間隔で前記溝部が形成される。このようにしても、緩衝具の側板下部を内側に向けて押すことで、側板の溝部がそれぞれ弾性変形し、この各溝部の弾性変形により側板下部を内側に引っ込めて側板を略垂直にすることができるので、側板の上部側外周面と箱本体の内壁との間に隙間の無い状態で当該緩衝具を箱本体の内壁間に嵌挿することができ、上記と同様の効果を得ることができる。
【００１７】
また、前記緩衝具は、前記溝部に代えて、上下方向に沿うように且つ下部側が上部側よりも幅広となるように形成された切り欠き部を備えて構成されていても良い。このようにすれば、切り欠き部が、前記溝部と同様、側板下部を内側に引っ込めるための許容部として機能し、側板下部を内側に引っ込めて側板を略垂直にすることができるので、上記と同様の効果を得ることができる。尚、この切り欠き部についても、前記溝部の場合と同様の理由から側板の４隅部近傍に形成する。
【００１８】
また、前記溝部は、前記側板の上端よりも予め設定された高さだけ下がった位置から下端にかけて形成されていても良い。側板の上端まで溝部を形成すると、当該溝部が天板の上面まで形成されることとなって、購入者によりこの溝部が視認される恐れがあり、美観を損ねたり、高級感がなくなる原因となる。そこで、溝部を、側板上端よりも所定高さだけ下がった位置から形成すれば、購入者によって当該溝部が視認されるのを防止し、見栄えを良くしたり、高級感を出すことができ、消費者の購入意欲を刺激して、当該包装用箱によって包装された商品の売上促進を図ることができる。
【００１９】
また、前記凹部には、その内周面から突出して形成され、該凹部内に収納された商品を係止するための突起が設けられていても良い。このようにすれば、突起によって、凹部内に収納された商品が凹部外に移動するのを防止して、当該商品が破損したり、傷付くのを防止することができる。
【発明の効果】
【００２０】
以上のように、本発明に係る包装用箱によれば、側板下部が内側に引っ込むのを許容させるための溝部や切り欠き部を当該側板に形成したので、側板を垂直にして、箱本体の内壁とこの間に嵌挿された緩衝具の側板の上部側外周面との間の隙間を無くすことができる。これにより、見栄えを良くしたり、高級感を出すことができるとともに、消費者の購入意欲を刺激して、当該包装用箱によって包装された商品の売上を伸ばすことができる。
【発明を実施するための最良の形態】
【００２１】
以下、本発明の具体的な実施形態について、添付図面に基づき説明する。尚、図１は、本発明の一実施形態に係る包装用箱の概略構成を示した斜視図である。また、図２は、本実施形態に係る箱本体及び緩衝具の概略構成を示した平面図であり、図３は、図２における矢示Ａ−Ａ方向の断面図であり、図４は、図２における矢示Ｂ−Ｂ方向の断面図である。また、図５は、本実施形態に係る緩衝具の概略構成を示した平面図であり、図６は、図５に示した緩衝具の背面図であり、図７は、図５における矢示Ｃ方向の側面図であり、図８は、図５における矢示Ｄ方向の側面図である。
【００２２】
図１乃至図８に示すように、本例の包装用箱１は、例えば、化粧品といった、包装される商品を収納するための凹部１１ａを備えて、この凹部１１ａ内に収納された商品を保護する緩衝具１０と、緩衝具１０を内部に収容する箱本体２０と、箱本体２０が収容されるケース２１とからなる。
【００２３】
前記緩衝具１０は、前記凹部１１ａが上面に形成された天板１１と、天板１１の周縁から下方にスカート状に垂下するように設けられた側板１２とを備える平面視矩形状且つ台状の部材から構成される。また、この緩衝具１０は、これを構成する部材の少なくとも一部に金型を用いて成形されたものを含んでおり、このため、側板１２は、抜き勾配により上側に傾斜して下部側の外周長さが上部側の外周長さよりも長くなっている（即ち、上部側よりも下部側の方が、対峙する側板１２間の間隔が長くなっている）。
【００２４】
前記凹部１１ａは、これに収納される商品の外形と略同形状に形成され、凹部１１ａの内周面には、当該内周面から突出し、凹部１１ａ内に収納された商品を係止するための突起１１ｂが設けられている。尚、前記凹部１１ａは、天板１１に３つ形成されており、当該包装用箱１内には、３つの商品が箱詰めされるようになっている。また、前記突起１１ｂは、例えば、商品側に形成された凹み部と係合することで当該商品を係止する。
【００２５】
前記側板１２には、外周面側が凹んで内周面側が突出し、上下方向に沿うように且つ下部側が上部側よりも幅広となるように形成された溝部１２ａが、当該側板１２の４隅部近傍（当該側板１２の長手方向両端部（更に言い換えれば、隣り合う側板１２間の曲面部１２ｂの終端部分））にそれぞれ設けられており、この溝部１２ａは、溝幅方向の両縁が互いに接近して溝幅が狭くなるように変形可能となっている。
【００２６】
尚、前記緩衝具１０は、例えば、合成樹脂を所定の形状に成形することで構成したり、合成樹脂を所定の形状に成形して基礎部材を得た後、この基礎部材の外面に布などを貼り付けることで構成することができるが、これらに限定されるものではない。
【００２７】
前記箱本体２０は、上面が開口した容器状且つ平面視矩形状の部材から構成され、その内壁２０ａ間に緩衝具１０が嵌挿されるように構成されている。尚、この箱本体２０は、例えば、厚紙などから所定の形状に適宜組み立てられることで構成されるが、これに限定されるものではない。
【００２８】
前記ケース２１は、長手方向の両側面（左右両側面）が開口した平面視矩形状且つ中空筐体状の部材から構成され、箱本体２０を、長手方向両側（左右両側）から引き出し可能に当該ケース２１の中空部２１ａ内に収容する。尚、このケース２１は、例えば、透明な合成樹脂などから構成されるが、これに限定されるものではない。
【００２９】
以上のように構成された本例の包装用箱１によれば、緩衝具１０の側板１２の４隅部近傍に、外周面側が凹んで内周面側が突出し、上下方向に沿うように且つ下部側が上部側よりも幅広となるように形成された溝部１２ａをそれぞれ設けるとともに、当該溝部１２ａを、溝幅方向の両縁が互いに接近して溝幅が狭くなるように変形可能に構成したので、図９に示すように、当該緩衝具１０の側板１２の４隅部下部を内側に向けて押すと、側板１２の溝部１２ａがそれぞれ弾性変形して、この各溝部１２ａの弾性変形により側板１２の４隅部下部を内側に引っ込めることができる。
【００３０】
これにより、上側に傾斜した側板１２を略垂直にすることができ、側板１２の上部側外周面と箱本体２０の内壁２０ａとの間に隙間の無い状態で当該緩衝具１０を箱本体２０の内壁２０ａ間に嵌挿することができる。また、緩衝具１０を箱本体２０に嵌挿する際には、側板１２の４隅部を内側に向けて押すだけであり、作業性が悪化することもない。
【００３１】
尚、前記溝部１２ａを側板１２の４隅部近傍に形成したのは、当該溝部１２ａの形成位置を、例えば、側板１２の長手方向中央部にすると、側板１２の４隅部を押したときに天板１１が浮き上がるといった不都合を生じ易くなるからであり、４隅部近傍に設けることで、このような不都合が生じるのを効果的に防止することができる。また、緩衝具１０を箱本体２０に嵌挿可能とするためには、側板１２の４隅部下部を内側に引っ込めて当該側板１２を略垂直にすることができれば良く、このためには、側板１２の４隅部下部を内側に引っ込めるための変形部（溝部１２ａ）を当該４隅部近傍に設けることが好ましいからである。
【００３２】
そして、このようにして箱本体２０内に嵌挿された緩衝具１０の天板１１の凹部１１ａ内に、商品を箱詰めすべく商品を収納した後、箱本体２０をケース２１の中空部２１ａ内に収容する。凹部１１ａ内に収納された商品は、当該緩衝具１０によって保護されるとともに、凹部１１ａ内に設けられた突起１１ｂによって凹部１１ａの外に移動するのが防止される。
【００３３】
斯くして、本例の包装用箱１によれば、側板１２の下部が内側に引っ込むのを許容させるための溝部１２ａを当該側板１２に形成したので、側板１２を垂直にして、箱本体２０の内壁２０ａとこの間に嵌挿された緩衝具１０の側板１２の上部側外周面との間の隙間を無くすことができ、見栄えを良くしたり、高級感を出すことができる。また、このように、見栄えが良かったり、高級感があれば、消費者の購入意欲を刺激することもでき、当該包装用箱１によって包装された商品の売上を伸ばすこともできる。
【００３４】
また、凹部１１の内周面に商品係止用の突起１１ｂを設けたので、凹部１１ａ内に収納された商品が凹部１１ａの外に移動するのを防止することができ、当該商品が破損したり、傷付くのを防止することができる。
【００３５】
以上、本発明の一実施形態について説明したが、本発明の採り得る具体的な態様は、何らこれに限定されるものではない。
【００３６】
上例では、前記緩衝具１０及び箱本体２０を平面視矩形状に形成したが、これに限られるものではなく、図１０乃至図１２に示すように、平面視円形に形成することもできる。この場合、前記緩衝具１０の側板１２には、当該側板１２の円周方向に一定間隔で前記溝部１２ａが形成される。尚、箱本体２０は、例えば、その上側から被せられる図示しない適宜蓋体によって当該箱本体２０の上面開口部が閉塞される。また、図１０は、本発明の他の実施形態に係る箱本体及び緩衝具の概略構成を示した平面図であり、図１１は、図１０に示した緩衝具の平面図であり、図１２は、図１０に示した緩衝具の背面図である。
【００３７】
このようにしても、緩衝具１０の側板１２の下部を内側に向けて押すと、側板１２の溝部１２ａがそれぞれ弾性変形し、この各溝部１２ａの弾性変形により側板１２の下部を内側に引っ込めて側板１２を略垂直にすることができるので、側板１２の上部側外周面と箱本体２０の内壁２０ａとの間に隙間の無い状態で当該緩衝具１０を箱本体２０の内壁２０ａ間に嵌挿することができ、上記と同様の効果を得ることができる。
【００３８】
また、前記緩衝具１０の側板１２には、図１３及び図１４に示すように、前記溝部１２ａに代えて、上下方向に沿うように且つ下部側が上部側よりも幅広となるように形成された三角形状の切り欠き部１２ｃを設けても良く、この切り欠き部１２ｃは、側板１２の長手方向に一定間隔で形成される。尚、図１３は、本発明の他の実施形態に係る緩衝具の概略構成を示した平面図であり、図１４は、図１３における矢示Ｅ方向の側面図である。
【００３９】
このようにしても、切り欠き部１２ｃが、前記溝部１２ａと同様、側板１２の下部を内側に引っ込めるための許容部として機能し、側板１２の下部を内側に引っ込めて側板１２を略垂直にすることができるので、上記と同様の効果を得ることができる。
【００４０】
また、特に図示はしないが、平面視円形に形成した緩衝具１０についても、前記溝部１２ａに代えて前記切り欠き部１２ｃを設けることができる。また、図１乃至図８に示した緩衝具１０において、前記溝部１２ａは、図１３及び図１４のように、側板１２の長手方向に一定間隔で形成されていても良く、また、図１３及び図１４に示した緩衝具１０において、前記切り欠き部１２ｃは、図１乃至図８のように、側板１２の４隅部近傍に形成されていても良い。
【００４１】
また、前記溝部１２ａは、図１５に示すように、側板１２の上端よりも予め設定された高さＬだけ下がった位置から下端にかけて形成されていても良い。側板１２の上端まで溝部１２ａが形成されていると、当該溝部１２ａが天板１１の上面まで形成されることとなって、購入者によりこの溝部１２ａが視認される恐れがあり、美観を損ねたり、高級感がなくなる原因となる。そこで、溝部１２ａを、側板１２の上端よりも所定高さＬだけ下がった位置から形成すれば、購入者によって当該溝部１２ａが視認されるのを防止し、見栄えを良くしたり、高級感を出すことができ、消費者の購入意欲を刺激して、当該包装用箱１によって包装された商品の売上促進を図ることができる。
【００４２】
また、上例では、前記包装用箱１に箱詰めされる商品の一例として、化粧品を挙げたが、この包装用箱１に箱詰めする商品は、化粧品に限定されるものではなく、各種の商品を箱詰めすることができる。また、図１に示した包装用箱１は、前記ケース２１に代えて、箱本体２０の上側から被せられ、当該箱本体２０の上面開口部を閉塞する蓋体を備えていても良い。また、凹部１１ａの数は、箱詰めする商品の数に応じて設定すれば良く、上例の数（図１に示した３つや図１０に示した１つ）に限定されるものではない。
【図面の簡単な説明】
【００４３】
【図１】本発明の一実施形態に係る包装用箱の概略構成を示した斜視図である。
【図２】本実施形態に係る箱本体及び緩衝具の概略構成を示した平面図である。
【図３】図２における矢示Ａ−Ａ方向の断面図である。
【図４】図２における矢示Ｂ−Ｂ方向の断面図である。
【図５】本実施形態に係る緩衝具の概略構成を示した平面図である。
【図６】図５に示した緩衝具の背面図である。
【図７】図５における矢示Ｃ方向の側面図である。
【図８】図５における矢示Ｄ方向の側面図である。
【図９】緩衝具の箱本体への嵌挿過程を示した説明図である。
【図１０】本発明の他の実施形態に係る箱本体及び緩衝具の概略構成を示した平面図である。
【図１１】図１０に示した緩衝具の平面図である。
【図１２】図１０に示した緩衝具の背面図である。
【図１３】本発明の他の実施形態に係る緩衝具の概略構成を示した平面図である。
【図１４】図１３における矢示Ｅ方向の側面図である。
【図１５】本発明の他の実施形態に係る緩衝具の概略構成を示した側面図である。
【図１６】従来例に係る包装用箱の概略構成を示した斜視図である。
【符号の説明】
【００４４】
１      包装用箱
１０    緩衝具
１１    天板
１１ａ  凹部
１１ｂ  突起
１２    側板
１２ａ  溝部
２０    箱本体
２０ａ  内壁
２１    ケース
２１ａ  中空部
【図１】
2007314230.tif 000003
【図２】
2007314230.tif 000004
【図３】
2007314230.tif 000005
【図４】
2007314230.tif 000006
【図５】
2007314230.tif 000007
【図６】
2007314230.tif 000008
【図７】
2007314230.tif 000009
【図８】
2007314230.tif 000010
【図９】
2007314230.tif 000011
【図１０】
2007314230.tif 000012
【図１１】
2007314230.tif 000013
【図１２】
2007314230.tif 000014
【図１３】
2007314230.tif 000015
【図１４】
2007314230.tif 000016
【図１５】
2007314230.tif 000017
【図１６】
2007314230.tif 000018